(57)【要約】【課題】携行に便利でイヤホンコードが絡むことのないウェアラブルなプレーヤー付き無線通信端末装置を提供する。【解決手段】メガネ型フレーム内に無線通信手段と、制御手段と、記憶手段と、操作手段と、表示手段と、音声処理手段と、電池電源を設け、更に前記メガネ型フレームの先端にイヤホンを設け、音声情報を受信する受信指示信号を入力すると、無線通信手段が音声情報を受信して記憶手段に音声情報を記憶し、音声情報を再生する再生指示信号を入力すると、制御手段の制御のもと、記憶した音声情報を前記記憶手段から読み出してイヤホンに出力するとともに、音声情報を受信する際あるいは再生する際の状態表示を表示手段で行うよう構成した。ウェアラブルなプレーヤー付き無線通信端末装置で、音楽配信サーバーからインターネットを介して音声情報をダウンロードした音楽を聴くことができる。【選択図】  図１
2004320597.tif 000002
【特許請求の範囲】
【請求項１】
メガネ型フレームと、無線通信手段と、制御手段と、記憶手段と、操作手段と、表示手段と、音声処理手段と、電池電源とイヤホンを有し、
前記メガネ型フレーム内に前記無線通信手段と、前記制御手段と、前記記憶手段と、前記操作手段と、前記表示手段と、前記音声処理手段と、前記電池電源を設け、前記メガネ型フレームの先端に前記イヤホンを設け、
前記操作手段から音声情報を受信する受信指示信号を入力すると、前記制御手段の制御により、前記無線通信手段が音声情報を受信して前記記憶手段に音声情報を記憶し、
前記操作手段から音声情報を再生する再生指示信号を入力すると、前記制御手段の制御により、前記記憶手段から音声情報を読み出して前記イヤホンに出力するとともに、
音声情報を受信する際あるいは再生する際の状態表示を前記表示手段で行うようにしたプレーヤー付き無線通信端末装置。
【請求項２】
先端にイヤホンを設けた前記メガネ型フレームをバネ性を有する線状の部材として形成したことを特徴とする請求項１に記載のプレーヤー付き無線通信端末装置。
【請求項３】
前記表示手段は、前記メガネ型フレームに取り付けたメガネレンズと、前記メガネレンズを照射する照明手段で構成したことを特徴とする請求項１に記載のプレーヤー付き無線通信端末装置。
【請求項４】
前記表示手段の前記メガネ型フレームと前記メガネレンズの位置関係を、前記メガネ型フレームの上に内に前記メガネレンズを乗せた位置関係として、前記照明手段で前記メガネレンズを下方から照射するように構成したことを特徴とする請求項３に記載のプレーヤー付き無線通信端末装置。
【発明の詳細な説明】
【０００１】
【発明の属する技術分野】
本発明は、音声情報を無線通信により受信して記憶手段に記憶した後、記憶手段から音声情報を読み出して再生するプレーヤー付き無線通信端末装置に関する。
【０００２】
【従来の技術】
インターネット上の音楽配信サーバーから音声情報を無線通信端末装置に配信する音楽配信サービスが既に実用化されている。図１３に従来の音楽配信システムのシステム構成図を示す。インターネット１には、ディジタル化した音楽情報を配信する音楽配信サーバー２が接続されている。そして、音楽配信サーバー２に対しては、音楽配信端末装置９００が基地局３、携帯電話網４、ゲートウェイ５、インターネット１を介してアクセスできるようにしている。音楽配信端末装置９００は、筐体９０１内に無線通信手段９０２と、テンキー等のキー入力手段９０３と、表示手段９０４と、記憶手段９０５とを有し、筐体９０１にイヤホン９０６を差し込んで使用する構造になっている。
【０００３】
音楽配信端末装置９００のキー入力手段９０３に音楽配信サーバーのＵＲＬを入力してアクセスすると、携帯電話網４とインターネット１を介して音楽配信サーバー２と交信することができ、音楽配信サーバー２から提供される配信メニューを音楽配信端末装置９００の表示手段９０４で見て、配信を希望する音楽コンテンツをキー入力して選択することができる。音楽配信サーバー２は、選択された音楽コンテンツの音声情報を図示しないデータベースから読み出して音楽配信端末装置９００に送信する。音楽配信端末装置９００は送信されてきた音声情報を装置の記憶手段９０５に記憶する。音楽配信が終了すると、記憶手段９０５から音声情報を読み出して再生し、イヤホン９０６に出力するようにしている。
【０００４】
従来の音楽配信端末装置９００は、キー入力手段９０３と表示手段９０４を用いて音楽配信サーバーにアクセスし、ダウンロードした音楽情報をイヤホンやヘッドホンで再生する構成を採っている。ダウンロード操作は、選曲操作を含め、メニューその他の文字表示をして操作を繰り返す必要があるため、ある程度の大きさの表示手段と、ある程度の大きさのキー入力手段９０３を必要としていた。そのため、音楽配信端末装置９００がかさばり、携行するときにはポケットや鞄に入れて持ち運ばなければならないという欠点があった。また、イヤホンコードがからみついて扱いにくいという欠点もあった（例えば、特許文献１、特許文献２）。
【０００５】
【特許文献１】
特開２００１−２８５７２号公報（第１１頁、第４図）
【特許文献２】
特開２００２−２３７６８号公報（第３頁、第１図）
【０００６】
【発明が解決しようとする課題】
本発明は、上記従来の欠点を解消した携行に便利で、イヤホンコードが絡むことのない、身にまとった感覚のいわゆるウエアラブルなプレーヤー付き無線通信端末装置を提供し、何もポケットや鞄に入れたりせずに、手に何も持たない感覚で、音声情報を音楽配信サーバー等からダウンロードして再生できるようにすることを第一の目的としている。
【０００７】
また、本発明は音声情報をダウンロードする際の操作状況や、ダウンロードした音声情報を再生する際の操作状況を示す状態表示を利用者の視野内に確実に表示するようにしたプレーヤー付き無線通信端末装置を提供することを第二の目的としている。
【０００８】
【課題を解決するための手段】
上記第一の課題を解決するために、本発明に係るプレーヤー付き無線通信端末装置は、メガネ型フレームと、無線通信手段と、制御手段と、記憶手段と、操作手段と、表示手段と、音声処理手段と、電池電源とイヤホンを有し、メガネ型フレーム内に無線通信手段と、制御手段と、記憶手段と、操作手段と、表示手段と、音声処理手段と、電池電源を設け、更に前記メガネ型フレームの先端にイヤホンを設け、操作手段から音声情報を受信する受信指示信号を入力すると、制御手段の制御により、無線通信手段が音声情報を受信して記憶手段に音声情報を記憶し、操作手段から音声情報を再生する再生指示信号を入力すると、制御手段の制御のもと、記憶した音声情報を前記記憶手段から読み出してイヤホンに出力するとともに、音声情報を受信する際あるいは再生する際の状態表示を表示手段で行う構成を採る。
【０００９】
この構成により、携行に便利で、イヤホンコードが絡むことのないプレーヤー付き無線通信端末装置を実現している。
【００１０】
更に本発明は、先端にイヤホンを設けたメガネ型フレームをバネ性を有する線状の部材として形成して、メガネ型フレームの鼻当てと一対のイヤホンの３箇所によりプレーヤー付き無線通信端末装置を利用者の顔に支持する構成を採る。
【００１１】
この構成により、プレーヤー付き無線通信端末装置を小型、軽量で、顔からはずれにくい、しっかりと身にまとった感覚の、いわゆるウェアラブル感覚の装置として実現している。
【００１２】
また本発明は、上記第二の課題を解決するために、表示手段をメガネ型フレームに取り付けたメガネレンズとメガネレンズを照射する照明手段とで構成している。
【００１３】
この構成により、音声情報をダウンロードする際の操作状況や、音楽を再生する際の操作状況を示す状態表示を利用者の視野内に確実に表示するようにしている。
【００１４】
また本発明は、メガネ型フレームとメガネレンズの位置関係を、メガネ型フレームの上にメガネレンズを乗せた位置関係として、メガネ型フレームに設けた照明手段でメガネレンズを下方から照射する構成を採る。
【００１５】
この構成を用いることにより、人間の目が上を見るよりも下を見るほうが容易であることを利用して、状態表示を利用者の視野内により確実に表示するようにしたプレーヤー付き無線通信端末装置を実現している。
【００１６】
【発明の実施の形態】
（実施の形態１）
本発明の第１の実施の形態について、以下図面とともに説明する。図１に、本発明の第１の実施の形態に係るプレーヤー付き無線通信端末装置６を用いた音楽配信システムのシステム構成図を示す。本発明は、既に図１３で説明した従来の音楽配信システムの音楽配信端末９００に代わるものとして、プレーヤー付き無線通信端末装置６を用いたものであり、システム構成要素の同じ部分については同一の番号を付して説明を省略する。本発明のプレーヤー付き無線通信端末装置６は、基地局３，携帯電話網４、ゲートウェイ５と、インターネット１を介して音楽配信サーバー２にアクセスして、音声情報をダウンロードして再生する。図２と図３に、プレーヤー付き無線通信端末装置６を利用者の顔６０に装着したときの使用状態図を、図４にプレーヤー付き無線通信端末装置６を水平方向に切断した断面図を、図５にプレーヤー付き無線通信端末装置６の正面図を示す。
【００１７】
図２から図５に示したように、プレーヤー付き無線通信端末装置６は、概ねメガネの形をしており、左右を一体に形成したメガネレンズ１０の下に右と左にのびるメガネ型フレーム２０、２１を取り付けている。メガネ型フレーム２０、２１は互いに向き合う端面を鼻当て３０、３１として、鼻当て３０、３１の反対側を内側と下側に湾曲した形に形成した金属製の線バネ２２、２３を埋め込んだバネ性を有する線状のテンプル部分として形成し、先端にイヤホン４０、４１を設けている。顔に装着していない状態ではメガネ型フレーム２０、２１のそれぞれのテンプル部分の先に取り付けた一対のイヤホン４０、４１の間隔が装着する人間の耳の間隔より小さくなるように、またメガネ型フレーム２０、２１の鼻当て３０、３１とイヤホン４０、４１との距離が装着する人間の鼻の表面と耳孔との距離よりも短くなるように形成している。
【００１８】
プレーヤー付き無線通信端末装置６を顔に装着するときは、メガネ型フレーム２０、２１を広げて装着する。図２、図３のように、利用者の顔６０には、プレーヤー付き無線通信端末装置６のメガネ型フレーム２０、２１の先端のイヤホン４０、４１を左右の耳孔に嵌め込み、鼻当て３０、３１を鼻に当てて装着する。メガネ型フレーム２０、２１、特にテンプル部分は顔に装着する時に広げられるため、元に戻ろうとする力で顔６０を左右方向に挟み込む。また、鼻当て部３０、３１とイヤホン４０、４１が顔６０を前後方向に挟み込む。そのため、図３のように利用者の顔６０の大きさが多少大きかったり、小さかったりしたとしても、プレーヤー付き無線通信端末装置６はメガネ型フレーム２０、２１の特にテンプル部分が変形して利用者の顔６０の前後左右の大きさににフィットする。
【００１９】
メガネ型フレーム内に埋め込んだ金属製の線バネ２２、２３を無線通信手段のアンテナとしても用いる。また、メガネ型フレーム２０、２１の外側表面には操作手段として、選択キー１００と、決定キー１０１を設けており、選択キー１００と決定キー１０１をそれぞれ単独で、あるいは両方を同時に押すことによって各種の操作指示信号を入力できるようにしている。
【００２０】
このように、プレーヤー付き無線通信端末装置６は顔に装着することができるため、身にまとったいわゆるウェアラブルな装置として装着することができ、携行に便利であり、イヤホンコードが絡み付くことが無く使い勝手が良い。
【００２１】
図６に、本発明の第１の実施の形態にかかるプレーヤー付き無線通信端末装置６の内部構成をブロック図として示す。図６で、メガネ型フレーム２０、２１の中には、無線通信手段７０と、制御手段８０と、記憶手段９０と、音声処理手段９３と、操作手段である選択キー１００と、決定キー１０１と、表示手段１１０、１１１と、電池電源１２０を設け、更に前記メガネ型フレーム２０、２１の先につけたテンプル部分２２、２３の各先端にイヤホン４０、４１を設けている。特に表示手段１１０、１１１は、メガネ型フレーム２０、２１にＬＥＤ１３０、１３１、１３２、１３３をメガネレンズ１０に向けて配置して、メガネレンズ１０を照射するようにしている。これらの各手段は、バスライン２００によって接続されており、操作手段である選択キー１００、決定キー１０１からの入力により、制御手段８０が音声プレーヤ付き無線通信端末装置としての動作を行うようにしている。
【００２２】
すなわち、操作手段である選択キー１００、決定キー１０１を用いて、音声情報を受信する受信指示信号を入力すると、制御手段８０の制御のもと、無線通信手段７０がアンテナを兼ねるテンプル部分２２、２３から図１で示したように、音楽配信サーバー２にアクセスし、音楽情報をダウンロードする。音声処理手段９３は、音楽配信サーバー２から受信した無線信号を音声信号に変換する音声処理を行い、記憶手段９０に音声情報を記憶する。操作手段である選択キー１００と決定キー１０１を用いて音声情報を再生する再生指示入力信号を入力すると、制御手段８０の制御のもと、記憶手段９０に記憶した音声情報を読み出してイヤホン４０、４１に出力する。なお、音声情報を受信する際あるいは再生する際には、前記表示手段１１０、１１１でＬＥＤ１３０、１３１、１３２、１３３を点灯してメガネレンズを照射して、ＬＥＤ１３０等の光による状態表示を行う。
【００２３】
本発明のプレーヤー付き無線通信端末装置６の操作手段である選択キー１００、決定キー１０１を用いた基本的な操作方法を説明する。本発明のプレーヤー付き無線通信端末装置６には選択キー１００と決定キー１０１をメガネフレーム２０、２１の表面にそれぞれ設けている。プレーヤー付き無線通信端末装置６の利用者は顔６０にプレーヤー付き無線通信端末装置６を装着した状態で、両手で選択キー１００と決定キー１０１を同時に押すことにより、電源をオン、オフすることができる。そして、右手で選択キー１００を押すと、選択可能なメニューが記憶手段９０から読み出されてイヤホンに出力される。その後、所定時間内に選択キー１００が押されると、次に選択可能なメニューが読み出される。メニューが読み出されたま、所定時間が経過するとそのメニューを選択したという扱いがされる。また、左手で決定キー１０１を押すことでもメニューを確定することができるようにしている。
【００２４】
図７に、選択キー１００、決定キー１０１を用いた基本的な操作方法をフローチャートとして示す。図７において、両手で選択キー１００と決定キー１０１を同時に押して電源をオンにすると（ステップＳ１）、図示しない操作制御用のタイマーが起動する（ステップＳ２）。選択キー１００が押されると（ステップＳ３）イヤホン４０、４１から選択可能なメニューが音声で出力される（ステップＳ４）。決定キー１０１が押されないまま（ステップＳ５）、タイムアウトする前に（ステップＳ６）、選択キー１００が押されると、次のメニューが順次読み出される。タイムアウトするか、決定キー１０１が押されると、読み出さたメニューが選択されたものとして確定する（ステップＳ７）。そして、確定した項目の動作を開始する（ステップＳ８）。動作中に選択キー１００と決定キー１０１が同時に押されたときは（ステップＳ９）、動作を停止する（ステップＳ１０）。そして再び、選択キー１００と決定キー１０１が同時に押されたときは（ステップＳ１１）、電源をオフにする（ステップＳ１２）。動作中に選択キー１００と決定キー１０１が同時に押されないときは、電源をオフにすることなく動作を継続する。
【００２５】
図８に、本発明のプレーヤー付き無線通信端末装置６で音楽情報をダウンロードする際の操作手順をフローチャートとして示す。なおここでは、説明を簡単にするためにプレーヤー付き無線通信端末装置６の記憶手段９０には、予め音楽配信サーバーのＵＲＬを記憶してあるものとして説明する。
【００２６】
まず、プレーヤー付き無線通信端末装置６の操作手段である選択キー１００と決定キー１０１を両手で同時に押して電源をオンにし、電池電源１２０から無線通信手段７０と制御手段８０に電源供給して、表示手段１１０の照明手段のＬＥＤ１３０をパイロットランプとして点灯させる（ステップＳ２０）。次に、操作手段の選択キー１００を押して選択できるメニューを順次読みだし、「ＵＲＬを選択しますか？」というメッセージを出力させた状態で、所定時間を経過させるか、決定キー１０１を押して、ＵＲＬの選択動作を開始する（ステップＳ２１）。ＵＲＬの選択は、前記操作手段１００を所定時間内に次々と押すことによってＵＲＬを順次、イヤホンに音声出力させて切り替えることができる。なお、選択キー１００を押す毎に、照明手段であるＬＥＤ１３１、１３２、１３３を追加点灯していくことにより、何番目のＵＲＬが選択可能かを視覚的に確認できるようにしている（ステップＳ２２）。ＵＲＬを出力させた状態で、所定時間を経過させるか、決定キー１０１を押してＵＲＬを確定する（ステップＳ２４）。ＵＲＬが確定すると、制御手段８０は無線通信手段７０により、メガネ型フレームのテンプル部分兼アンテナ２２、２３から、基地局３，携帯電話網４、ゲートウェイ５、インターネット１を経由して、音楽配信サーバー２にアクセスする（ステップＳ２５）。
【００２７】
プレーヤー付き無線通信端末装置６は、音楽配信サーバー２から配信可能な音楽情報名を受信して、イヤホン４０、４１に音声出力する。例えば音楽配信サーバーが、クラシック、ポピュラー、ポップスの３つのジャンルについて人気の高いベスト５までの曲が配信可能であるとして説明すると、配信可能なジャンル名が「１．クラシック、２．ポピュラー、３．ポップス。」というように順次出力される。そして、希望するジャンルを選択すると配信可能な曲名が順次出力されるので（ステップＳ２６）、既に説明したような使い方で選択キー１００と決定キー１０１を用いて、希望する曲名を決定する（ステップＳ２７）。このことにより、決定された曲の音楽情報がダウンロードされる（ステップＳ２８）。１つの曲のダウンロードが終わってから、引き続き他の曲についてダウンロードするときは（ステップＳ２９）、ステップＳ２６に戻り、ステップＳ２８までの操作をして他の曲をダウンロードする。終了するときは、操作手段の選択キー１００と決定キー１０１を同時に押して動作を停止して（ステップＳ２９）、再び選択キー１００と決定キー１０１を同時に押して電源を切る（ステップＳ３０）。
【００２８】
次に、ダウンロードして記憶手段９０に記憶した音楽情報を再生する動作を説明する。図９に、プレーヤー付き無線通信端末装置６で音声情報を再生する際の操作手順をフローチャートとして示す。まず、プレーヤー付き無線通信端末装置６の操作手段の選択キー１００と決定キー１０１を同時に押すと、電池電源１２０が無線手段７０と制御手段８０に供給され、表示手段１１０の内の照明手段のＬＥＤ１３０がパイロットランプとして点灯するのは図８のフローチャートと同じである（ステップＳ３１）。次に、選択キー１００で「音楽再生を開始しますか？」メニューを読み出してイヤホンに出力し、タイムアウトさせるか、決定キー１０１を押して、音楽再生モードを開始する（ステップＳ３２）。選択キー１００を押すと（ステップＳ３３）、曲名がイヤホンに出力される。なお、選択キー１００を押す毎に、再生可能な曲名をイヤホン４０、４１に音声出力するとともに、照明手段であるＬＥＤ１３１、１３２、１３３を追加点灯していくことにより、何番目の曲名であるかを視覚的に確認することができるようにしている（ステップＳ３４）。タイムアウトさせるか決定キー１０１を押して、再生する曲を確定する（ステップＳ３５）。制御手段は選択された曲を記憶手段の再生リストに記憶する（ステップＳ３６）。再生リストに記憶すると、更に再生する曲を追加するかを入力する画面が表示されるので、所定時間内に選択キー１００を押すと、スップＳ３３に戻り、ステップＳ３６までの操作を行うことにより、再生する曲を選択する。ステップＳ３７で、タイムアウトさせると、再生する曲を追加しないものとして、再生リストに記憶した順に音楽を再生する（ステップＳ３８）。
【００２９】
音楽の再生は、音声をイヤホン４０、４１に出力するとともに、再生している音楽の番号に相当する数の照明手段を点灯する。なお、曲の始めは単に再生している音楽の番号に相当する数の照明手段を点灯し、音楽にあわせて色彩を変化させるようにしている。クラシックを聴いているときに、メガネレンズを照射する光の色がセピア色に変わると、メガネレンズ越しに見える風景が古い映画を見ているように変わる。明るい長調の曲を聴いているときは黄色や赤の暖色系の光を点滅し、短調の曲を聴いているときは、淡い白色や水色の光をゆっくりと変化させるなど、再生曲に対する表示内容を自動選択するようにして、音楽を聴いている気分を高揚させることができる。再生リストに記憶した曲の再生がすべて終わると、そのまま所定時間内に操作手段の選択キー１００を操作しないと電源が切れるようにしている。なお、曲の再生がすべて終わってから所定時間内に選択キー１００が操作されると、ステップＳ３３に戻り、再生する曲名を選択できる様にしている。
【００３０】
なお、上記実施の形態では、インターネット１の音楽配信サーバー２から音声情報をダウンロードする音楽配信端末装置として、プレーヤー付き無線通信端末装置６を説明したが、音楽情報を無線で送信するネットワークはこれに限られるものではなく、他の無線ローカルエリアネットワークから音楽情報をプレーヤー付き無線通信端末装置に送信するシステムであっても良い。
【００３１】
また、プレーヤー付き無線通信端末装置が受信する音声情報には、音楽そのものの情報の他に、音楽そのものの情報に付随した曲の題名や曲の解説の音声、歌手の声、詩の朗読、文章の朗読、リズム、ダウンロードの操作手順を案内する音声等が含まれる。
【００３２】
（実施の形態２）
次に、本発明の第２の実施の形態に係るプレーヤー付き無線通信端末装置について説明する。第１の実施の形態では、メガネ型フレーム２０、２１に埋め込んだ金属製の線バネ２２、２３を無線通信手段のアンテナとして用いたが、本発明の第２の実施の形態に係るプレーヤー付き無線通信端末装置６２では、アンテナ１３２をメガネ型フレーム２０、２１に交わるように立てられる構造にしている。
【００３３】
図１０に本発明の第２の実施の形態に係るプレーヤー付き無線通信端末装置６２の外観図を示す。また、図１１にプレーヤー付き無線通信端末装置６２を利用者の顔６０に装着した使用状態を示す。図１０と図１１では、メガネ型フレーム２０に対して１本のアンテナ１３２を立てた状態を示すが、左右のメガネ型フレーム２０、２１のそれぞれから計２本のアンテナを立てても良い。このように、アンテナを立てて、利用者の顔６０から離す事により、アンテナの感度を高めることができる。図１０と図１１に示す第２の実施の形態では、アンテナ１３２をメガネ型フレーム２０に対して回転自在に取り付け、使用時にはメガネ型フレームと交わるように立てるようにしている。なお、アンテナ１３２を伸縮式のアンテナとしても良い。
【００３４】
（実施の形態３）
次に、本発明の第３の実施の形態に係るプレーヤー付き無線通信端末装置６３について説明する。図１２は、本発明の第３の実施の形態に係るプレーヤー付き無線通信端末装置６３を用いた博物館等の展示会場における見学者用音声配信システムのシステム構成図である。この展示会場における見学者用音声配信システムは、一つの敷地内に設置したブルートゥース等の短距離無線通信を用いたローカルエリアネットワーク７０に見学者用音声配信サーバー７１を接続し、複数の基地局７２、７３、７４、７５をローカルエリアネットワーク７０の基地局として割り付けてある。そして、プレーヤー付き無線通信端末装置６３を携行する見学者が基地局７２に接近すれば、基地局７２に接近した見学者用の音声情報を自動的に見学者用音声配信サーバー７１から配信し、見学者が移動して基地局７３に接近すれば、基地局７３に接近した見学者用の音声情報を自動的に配信するようにしている。以下、同様に見学者の移動に応じて、基地局７４に接近した見学者用の音声情報、基地局７５に接近した見学者用の音声情報が順次自動的に配信される。見学者は、見学通路を歩いていくと、展示物の説明を自動的に受信して聞くことができる。
【００３５】
上記第３の実施の形態では、博物館や展示会場などにおける展示情報だけでなく、見学経路誘導用のナビゲーション情報をプレーヤー付き無線通信端末装置６３に配信して見学者を誘導することもできる。このとき、右に曲がるときは表示手段のメガネレンズの右端の照明手段を点滅させ、左に曲がるときはメガネレンズの左端の照明手段を点滅させることにより、見学者を音声情報に加えて、表示手段を用いて視覚的に誘導することができる。
【００３６】
【発明の効果】
本発明に係るプレーヤー付き無線通信端末装置によれば、メガネ型フレーム内に無線通信手段と、制御手段と、記憶手段と、操作手段と、表示手段と、音声処理手段と、電池電源を設け、更に前記メガネ型フレームの先端にイヤホンを設け、操作手段に音声情報を受信する受信指示信号を入力すると、制御手段の制御により、無線通信手段が音声情報を受信して記憶手段に音声情報を記憶し、操作手段に音声情報を再生する再生指示を入力すると、制御手段の制御により、記憶した音声情報を前記記憶手段から読み出してイヤホンに出力するとともに、音声情報を受信する際あるいは再生する際の状態表示を表示手段で行うことにより、携行に便利で、イヤホンコードが絡むことのない、音楽配信サーバーからインターネットを介して音声情報をダウンロードすることができるプレーヤー付き無線通信端末装置を得ることが出来る。
【００３７】
更に本発明は、メガネ型フレームをバネ性を有する線状の部材として形成して、メガネ型フレームの鼻当てと一対のイヤホンの３箇所によりプレーヤー付き無線通信端末装置を利用者の顔に装着するようにしたことにより、プレーヤー付き無線通信端末装置を身にまとった感覚の、いわゆるウェアラブル感覚で使うことができる。
【００３８】
また本発明は、表示手段として複数の照明手段をメガネ型フレーム内に組み込み、複数の照明手段の光を同時に又は選択的にメガネレンズに照射することにより、音声情報をダウンロードする際の操作状況や、音楽を再生する際の操作状況を示す状態表示を利用者の視野内で確認することができる。
【図面の簡単な説明】
【図１】本発明の第１の実施の形態にかかるプレーヤー付き無線通信端末装置を用いた音楽配信システムの構成図
【図２】本発明の第１の実施の形態にかかるプレーヤー付き無線通信端末装置を利用者の顔に装着したときの使用状態図
【図３】本発明の第１の実施の形態にかかるプレーヤー付き無線通信端末装置を利用者の顔に装着したときの使用状態図
【図４】本発明の第１の実施の形態にかかるプレーヤー付き無線通信端末装置の断面図
【図５】本発明の第１の実施の形態にかかるプレーヤー付き無線通信端末装置の正面図
【図６】本発明の第１の実施の形態にかかるプレーヤー付き無線通信端末装置のブロック図
【図７】本発明の第１の実施の形態にかかるプレーヤー付き無線通信端末装置の操作手段による操作手順のフローチャート
【図８】本発明の第１の実施の形態にかかるプレーヤー付き無線通信端末装置の音声情報のダウンロード時の操作手順のフローチャート
【図９】本発明の第１の実施の形態にかかるプレーヤー付き無線通信端末装置の音声情報の再生時の操作手順のフローチャート
【図１０】本発明の第２の実施の形態にかかるプレーヤー付き無線通信端末装置の斜視図
【図１１】本発明の第２の実施の形態にかかるプレーヤー付き無線通信端末装置を利用者の顔に装着したときの使用状態図
【図１２】本発明の第３の実施の形態にかかるプレーヤー付き無線通信端末装置を用いた見学者用音声配信システムの構成図
【図１３】従来の音楽配信システムのシステム構成図
【符号の説明】
１  インターネット
２  音楽配信サーバー
３  ゲートウェイ
４  携帯電話網
５  基地局
６  プレーヤー付き無線通信端末装置
１０  メガネレンズ
２０、２１  メガネ型フレーム
２２、２３  テンプル部分
３０、３１  鼻当て
４０、４１  イヤホン
７０  無線通信手段
８０  制御手段
９０  記憶手段
９３  音声処理手段
１００  選択キー
１０１  決定キー
１１０、１１１  表示手段
１２０  電池電源
１３０、１３１、１３２、１３３  ＬＥＤ
【図１】
2004320597.tif 000003
【図２】
2004320597.tif 000004
【図３】
2004320597.tif 000005
【図４】
2004320597.tif 000006
【図５】
2004320597.tif 000007
【図６】
2004320597.tif 000008
【図７】
2004320597.tif 000009
【図８】
2004320597.tif 000010
【図９】
2004320597.tif 000011
【図１０】
2004320597.tif 000012
【図１１】
2004320597.tif 000013
【図１２】
2004320597.tif 000014
【図１３】
2004320597.tif 000015